(57)【要約】  電子機器に関し、コネクタの嵌合外れを防止した板体の固定と、分解時の、板体を取り付けたままのコネクタの嵌合外しとを両立させることを目的とし、相互に組立てられて互いの間に内部空間を形成する第１カバーおよび第２カバーのうちの第１カバー内面に、端部にコネクタが搭載された板体を、そのコネクタの搭載された側の端部の持ち上げを可能に支持し、持ち上げた状態でコネクタの嵌合、取外しを行ない、第１カバーと第２カバーとを組み立てたときに第２カバーに設けられたリブにより板体を第１カバーに押し当てる。
2011070665.tif 000002
【特許請求の範囲】
【請求項１】
相互に組み立てられて互いの間に内部空間を形成する第１カバーおよび第２カバーを有する筐体と、
ケーブルの一端が接続された第１コネクタと、
第１面と該第１面に対する裏面である第２面とを有し、第１方向に延びて該第１面の該第１方向第１端部に、前記第１コネクタと組み合う第２コネクタが、該第１コネクタと組み合う嵌合面を該第１方向外方に向けて搭載された板体とを有し、
前記第１カバーが、前記第１コネクタが前記第２コネクタに嵌合した状態の前記板体を、該板体の前記第２面を該第１カバー内面に向けて該板体を該内面に沿わせた状態に支持する支持部を有し、
前記支持部が、
前記板体の前記第１端部寄りの位置において、該板体の前記第１面から離間して該第１面上に張り出した第１張出片と、
前記第２コネクタに嵌合した状態の前記第１コネクタの、該第２コネクタと組み合う嵌合面に対する背面に沿って、前記板体の前記第１端部側を前記第１張出片に当接するまで持ち上げたときに該背面が外れる高さまで前記第１カバー内面に立設した第１リブとを有し、
前記第２カバーが、該第２カバー内面に立設し、前記板体が前記支持部に支持されて前記第１カバーと該第２カバーとが組み立てられた状態における該板体の前記第１端部側の、該第１カバー内面からの浮きを防止する第２リブを有することを特徴とする電子機器。
【請求項２】
前記ケーブルは、前記第１カバーと前記第２カバーを分離したときに該第２カバー側に延在するケーブルであることを特徴とする請求項１記載の電子機器。
【請求項３】
前記第２リブは、前記第１カバーと前記第２カバーとが組み立てられた状態において前記第２コネクタに当接することにより、前記板体の前記第１端側の、前記第１カバー内面からの浮きを防止するものであることを特徴とする請求項１又は２記載の電子機器。
【請求項４】
前記支持部が、さらに
前記第１方向に延びる前記板体の、前記第２コネクタが搭載された側の前記第１端部とは逆側の第２端部側端面に沿って前記第１カバー内面に立設し、前記第１リブとともに該板体の該第１方向の位置を規制する第２リブと、
前記板体の前記第２端部寄りの位置において、該板体の前記第１面上に、前記第１リブよりも該第１面に近づいた高さに張り出して、該板体の該第２端部寄りの部分の、前記第１カバー内面からの浮きを規制する第２張出片とを有することを特徴とする請求項１から３のうちいずれか１項記載の電子機器。
【請求項５】
前記板体が、前記第１端部および該第１端部とは逆側の第２端部の双方から離れた中央部分に、前記第１方向に延びる側面が切り欠かれた形状の切欠きを有し、
前記支持部が前記切欠きに嵌入するリブを有することを特徴とする請求項１から４のうちいずれか１項記載の電子機器。
【請求項６】
前記板体は、前記第２コネクタを介して該板体外部に信号を送る電子部品を搭載した基板であることを特徴とする請求項１から５のうちいずれか１項記載の電子機器。
【請求項７】
前記電子部品が、マイクロホンであることを特徴とする請求項６記載の電子機器。
【請求項８】
当該電子機器が画像を表示する表示画面をもつ画像表示モジュールを有し、
前記第１カバーが、前記表示画面を取り巻く枠状の前カバーであり、
前記第２カバーが、前記画像表示モジュール背面を覆う後カバーであることを特徴とする請求項１から７のうちいずれか１項記載の電子機器。
【請求項９】
前記板体は、前記第１カバーと前記第２カバーとにより形成された内部空間の、前記表示画面を立てた姿勢における該表示画面よりも下部に収容されていることを特徴とする請求項１から８のうちいずれか１項記載の電子機器。
【請求項１０】
前記第１カバーと前記第２カバーとにより形成された内部空間の、前記表示画面を立てた姿勢における該表示画面よりも上部に収容されたカメラを有することを特徴とする請求項９記載の電子機器。
【請求項１１】
前記上部に前記カメラとともに収容された、無線通信用のアンテナをさらに有することを特徴とする請求項１０記載の電子機器。
【請求項１２】
当該電子機器が、さらに、上面にキーボードを有し前記筐体が開閉自在にヒンジ接続された第２筐体を有することを特徴とする請求項８から１１のうちいずれか１項記載の電子機器。
【発明の詳細な説明】
【技術分野】
【０００１】
本件は、電子機器に関する。
【背景技術】
【０００２】
電子機器の中には、互いに組み立てられて互いの間に内部空間を形成する第１カバーおよび第２カバーを有し、それら第１カバーと第２カバーとにより形成される内部空間に様々な電子部品を搭載した構造の電子機器が存在する。【０００３】
例えばノート型パーソナルコンピュータ（以下、「ノートＰＣ」と略記する）は、本体ユニットと表示ユニットとを有し、これら本体ユニットと表示ユニットのそれぞれが上記の構造を有する。本体ユニットは、上面にキーボードを有し、底カバーと上カバーとにより形成された内部空間に、ＣＰＵを搭載した回路基板等、様々な電子部品が搭載されている。また、表示ユニットは表示画面をもつ画像表示モジュールを有し、表示画面周囲を取り巻く前カバーと画像表示モジュールの背面を覆う後カバーとを有する。【０００４】
この表示ユニットの前カバーと後カバーとにより形成される内部空間には、画像表示モジュール以外にも、例えばカメラを搭載した基板やアンテナなどの電子部品が搭載されていることが多い。【０００５】
ここで、上記のような内部空間に、コネクタを搭載しそのコネクタを介して外部とつながっている構造の、回路基板等の板体を収容する場合に１つの問題がある。すなわち、そのような板体は、第１カバーや第２カバー（ここでは第１カバーとする）の内面に不用意に動かないようにしっかりと固定される。この固定にあたっては、その板体に搭載されたコネクタと嵌合するコネクタについても、それらのコネクタが嵌合した状態のまま、その嵌合が外れないように板体とともに固定される。【０００６】
ところが、その電子機器を組立てている途中で何らかの原因で一旦分解する必要を生じることがある。あるいは、完成後であっても、修理やメンテナンス等のためにその電子機器を分解する必要を生じることがある。ところが、分解の際、上記の固定構造の場合は板体を取り外さない限りコネクタの嵌合を外すことができず、分解作業に不便を来たす。例えば板体が第１カバーに固定され、その板体上のコネクタと組み合うコネクタにケーブルが接続されていてそのケーブルが第２カバーに延びている場合がある。このような場合、コネクタを外さないと第１カバーと第２カバーを分離することができず、コネクタを外すためには板体自体も第１カバーから取り外す必要を生じ、分解作業の妨げとなる。【０００７】
ここで、従来より、回路基板等の固定構造について様々な提案がある。ただし、回路基板等の板体を、コネクタの嵌合外れの防止も含めてしっかりと固定することと、分解時に板体を取り外すことなくコネクタの嵌合を外すこととの双方を満足させる提案は見当たらない。
【先行技術文献】
【特許文献】
【０００８】
【特許文献１】特開昭６３−０７３６９８号公報
【特許文献２】特開平１１−６８３５３号公報
【特許文献３】特開平１１−２７４７６５号公報
【発明の概要】
【発明が解決しようとする課題】
【０００９】
本件開示の電子機器の課題は、コネクタの嵌合外れを防止した板体の固定と、分解時の、板体を取り付けたままのコネクタの嵌合外しとを両立させることにある。
【課題を解決するための手段】
【００１０】
本件開示の電子機器は、筐体と、第１コネクタと、板体とを有する。【００１１】
筐体は、相互に組み立てられて互いの間に内部空間を形成する第１カバーおよび第２カバーを有する。【００１２】
第１コネクタには、ケーブルの一端が接続されている。【００１３】
板体は、第１面とその第１面に対する裏面である第２面とを有し、第１方向に延びて第１面の第１方向第１端部に、第１コネクタと組み合う第２コネクタが、第１コネクタと組み合う嵌合面を第１方向外方に向けて搭載された板体である。【００１４】
ここで、第１カバーは、第１コネクタが第２コネクタに嵌合した状態の板体を、その板体の第２面を第１カバー内面に向けてその板体をその内面に沿わせた状態に支持する支持部を有する。【００１５】
その支持部は、第１張出片と、第１リブとを有する。【００１６】
第１張出片は、上記板体の上記第１端部寄りの位置において、その板体の第１面から離間して第１面上に張り出した張出片である。【００１７】
また、第１リブは、第２コネクタに嵌合した状態の第１コネクタの、第２コネクタと組み合う嵌合面に対する背面に沿って、上記板体の上記第１端部側を上記第１張出片に当接するまで持ち上げたときにその背面が外れる高さまで第１カバー内面に立設したリブである。【００１８】
さらに、第２カバーは、第２リブを有する。その第２リブは、第２カバー内面に立設し、上記板体が上記支持部に支持されて第１カバーと第２カバーとが組み立てられた状態における上記板体の上記第１端部側の、第１カバー内面からの浮きを防止するリブである。
【発明の効果】
【００１９】
本件開示の電子機器によれば、第２カバーが第１カバーから外れている状態では、板体の第１端を第１張出片に当接する高さまで持ち上げ、板体を取り外すことなく、第２コネクタに第１コネクタを挿抜することができる。また、第１カバーと第２カバーとを組み立てた状態では、第２カバー内面の第２リブにより、板体の第１カバー内面からの浮きが防止され、板体が第１カバー内面に固定されるとともに、第１リブによりコネクタの嵌合外れも防止される。
【図面の簡単な説明】
【００２０】
【図１】閉状態のノートＰＣの斜視図である。
【図２】開状態のノートＰＣの斜視図である。
【図３】図２とは別の角度から眺めたときの開状態のノートＰＣの斜視図である。
【図４】表示ユニットの前カバーを取り外して後カバーに収容された内容物を示した図である。
【図５】表示ユニットを構成する前カバー内面を示した図である。
【図６】表示ユニットの前カバー内面の、回路基板とを支持した状態の支持部を示した図である。
【図７】支持部から回路基板を取り外して、支持部と回路基板とを並べて示した図である。
【図８】回路基板の、前カバー内面を向いた第２面を示した図である。
【図９】支持部に支持された状態の回路基板の、コネクタが搭載された第１端部側を示した斜視図である。
【図１０】支持部に支持された状態の回路基板の第１端部側を図９とは別の角度から示した斜視図である。
【図１１】支持部に支持された状態の回路基板の第１端部側をさらに別の角度から示した斜視図である。
【図１２】前カバー内面の支持部の、回路基板の第１端部を支持する部分を示した斜視図である。
【図１３】前カバー内面の支持部の、回路基板の第１端部を支持する部分を図１２とは別の角度から示した斜視図である。
【図１４】支持部に支持された状態の回路基板の、コネクタが搭載された第１端部とは反対側の第２端部近傍を示した斜視図である。
【図１５】支持部に支持された回路基板であって、ケーブルが接続されたコネクタを取り外した状態の回路基板を示した斜視図である。
【図１６】支持部に支持された回路基板であって、ケーブルが接続されたコネクタを取り外した状態の回路基板を図１５とは別の角度から示した斜視図である。
【図１７】表示ユニットの後カバーの、表示画面よりも上部に搭載されたカメラ基板を示した図である。
【発明を実施するための形態】
【００２１】
以下、本件の実施形態について説明する。ここでは、本件の電子機器の一例としてノートＰＣを取り上げて説明する。
【００２２】
図１は、閉状態のノートＰＣの斜視図である。また、図２および図３は、それぞれ別の角度から眺めたときの開状態のノートＰＣの各斜視図である。
【００２３】
このノートＰＣ１０は、本体ユニット２０と表示ユニット５０を有する。表示ユニット５０は、本体ユニット２０にヒンジ接続され、図１に示す閉状態と図２，図３に示す開状態との間で開閉する。表示ユニット５０の、開閉にあたってはフリクションを伴って開閉し、表示ユニット５０は本体ユニット２０に対し任意の角度に開いた状態で安定する。
【００２４】
本体ユニット２０の筐体２１は、上カバー２１１と底カバー２１２とを有する。また表示ユニット５０の筐体５１は、前カバー５１１と後カバー５１２とを有する。
【００２５】
本体ユニット２０は、その上面奥側に、電源ボタン２２および複数のファンクションボタン２３を有し、それらの手前中央にはキーボード２４、そのキーボード２４の左右にはスピーカ放音口２５を有する。また、キーボード２４の中央にはグライドボタン２６、キーボード２４の手前側には、そのグライドボタン２６用の左右の押ボタン２７が配置されている。さらにそれら左右の押ボタン２７の手前には、タッチパッド２８が設けられており、その手前には、そのタッチパッド２８用の左右の押ボタン２９が配置されている。それらの押ボタン２９どうしの中央には、スクロールボタン３０が置かれている。
【００２６】
ここで、グライドボタン２６は、後述する表示画面５２１上のカーソルを移動させる操作子であり、そのグライドボタン２６を任意の方向に傾けると表示画面５２１上のカーソルがその傾けた方向に応じた方向に移動する。また、左右の押ボタン２７は、典型的なポインティングデバイスであるマウスの左右の押ボタンに相当する押ボタンである。
【００２７】
また、タッチパッド２８は、用途としてはグライドボタン２６と同じである。そのタッチパッド２８上に指を置いてそのタッチパッド２８を指で任意の方向になぞると、表示画面５２１上のカーソルがそのなぞった方向に応じた方向に移動する。また左右の押ボタン２９は、これもマウスの左右の押ボタンに相当するボタンであり、グライドボタン用の左右の押ボタン２７と同一の作用を成す押ボタンである。すなわち、このノートＰＣ１０では、グライドボタン２６と左右の押ボタン２７をマウスと同等の働きを成すポインティングデバイスとして使用することができる。さらにタッチパッド２８と左右の押ボタン２９を、マウスと同等の働きを成すポインティングデバイスとして使用することもできる。またスクロールボタン３０は、指で押すことにより奥側および手前側双方に傾けることができるボタンである。このスクロールボタン３０を傾けると、表示画面上の画像が、その傾けた方向に応じた上方向又は下方向にスクロールする。
【００２８】
また、本体ユニット２０の上面の、スクロールボタン３０よりもさらに手前側には、フック穴３１が設けられている。表示ユニット５０を図２，図３に示す開状態から図１に示す閉状態に移行した際に、開状態における表示ユニット５０の前面上部に突出したフック５３がこのフック穴３１に入り込んで係止される。これにより、表示ユニット５０が不用意に開かないようにロックされる。本体ユニット２０の前端面にはロック解除ボタン３２が設けられており、図１に示す閉状態にあるときにこのロック解除ボタン３２を押すとフック５３の係止が外れる。このロック解除ボタン３２を押してフック５３の係止を外すと、表示ユニットを持ち上げて開状態に移行させることができる。本体ユニット２０の上部前端と前端面との境界部分には複数のインジケータランプ３３が設けられている。また本体ユニット２０の前端面にはメモリカード挿入口３４が設けられている。さらに本体ユニット２０の左端面には、図１，図２に示すように、ＤＣ電源ジャック挿入口３５や様々な種類のコネクタ差込口３６が設けられている。この左端面にはさらに、マイクロホン／ヘッドホン用端子３７、内部の空冷用ファン（図示せず）の回転による空気の吹出口３８、およびカードスロット３９も設けられている。
【００２９】
さらに、本体ユニット２０の右端面には、図３に示すように、無線ＬＡＮオン／オフスイッチ４０、３つのコネクタ差込口４１、およびセキュリティロック穴４２が配置されている。この右端面にはさらに、ＯＤＤ（光ディスクドライブ）４３の外面があらわれている。
【００３０】
尚、この本体ユニット２０に設けられる、各種インジケータランプ、各種コネクタおよび開口の個数、種類、形状およびその設置位置は本実施形態に限られるものではなく、電子機器に対する仕様要求に応じて適宜変更される。
【００３１】
一方、表示ユニット５０は、前面に表示画面５２１をもつ板形状の画像表示モジュール５２（図４参照）を有する。この画像表示モジュール５２は、本実施形態ではＬＣＤ（液晶表示装置）が採用されている。ただし、ＬＣＤは画像表示モジュールの一例であって、他種別のＰＤＰ（プラズマディスプレイユニット）などでもよく、その種別は問われるものではない。
【００３２】
前カバー５１１は、枠状の部材であって、その表示画面５２１を取り巻いている。また後カバー５１２は、画像表示モジュール５２の背面を覆っている。前述した通り、開状態の表示ユニット５０の、表示画面５２１よりも上方には、前面に突出したフック５３が設けられている。このフック５３は、開状態から閉状態に移行したときに、本体ユニット２０の上面のフック穴３１に入り込んで係止される。この係止は、ロック解除ボタン３２を押すことにより解除される。
【００３３】
さらに、この表示ユニット５０の、フック５３の横には、内部のカメラ６１（図４参照）が覗く撮影窓５４が設けられており、この表示ユニット５０の、開状態における下部のヒンジ部分に内部のマイクロホン７９（図８参照）に音を導くための受話口５５が設けられている。
【００３４】
図４は、表示ユニット５０の、前カバー５１１を取り外して、後カバー５１２に収容された内容物を示した図である。
【００３５】
この表示ユニット５０の内側には、板形状の画像表示モジュール５２が収納されている。また、画像表示モジュール５２の表示画面５２１を立てた状態、すなわち、図２，図３に示す開状態の表示ユニット５０の、表示画面５２１よりも上部には、カメラ６１が搭載されたカメラ基板６０が固定されている。また、そのカメラ基板６０の両横には、２種類かつ５個の通信用アンテナ６２Ａ，６２Ｂが搭載されている。また、この表示ユニット５０の、開状態における表示画面５２１よりも下部を、ケーブル６３が通過している。また、ここには、前カバー５１１の内面に支持された回路基板７０（図５参照）が配置される。後カバー５１２の下部には、複数のリブ６４が設けられている。これらのリブ６４のうちの１つのリブ６４Ａは、本件における第２リブの一例に相当する。詳細は後述する。
【００３６】
図５は、表示ユニットを構成する前カバー内面を示した図である。
【００３７】
この前カバー５１１の内面の、表示ユニット５０を立てた状態における表示画面５２１の下部に相当する部分には、回路基板７０を支持する支持部９０（図７参照）を有する。その支持部９０には、回路基板７０が支持されている。この回路基板７０は、表示ユニット５０の下縁に沿って左右に延在する基板であって、その第１面（図５に示す面）の第１端（図５における左端）には、コネクタ７１が、その嵌合面を外方（図５における左方）に向けて搭載されている。この基板上のコネクタ７１には、もう１つのコネクタ８１が組み合っている。このコネクタ８１には、ケーブル８２の一端が接続されている。このケーブル８２は、後カバー５１２（図４参照）側に延び、後カバー５１２に搭載された図示しない電子部品に接続されている。
【００３８】
図６は、表示ユニットの前カバー内面の、回路基板を支持した状態の支持部を示した図である。また図７は、その支持部から回路基板を取り外して、支持部と回路基板を並べて示した図である。さらに図８は、回路基板の、前カバー内面を向いた第２面を示した図である。
【００３９】
この回路基板７０は左右に延びた形状を有し、前述の通り、その左右方向の第１端部には、コネクタ７１が、その嵌合面を外方に向けて搭載されている。また、その第１端部よりも少し内側に入った箇所、およびその第１端部とは反対側の第２端部よりも少し内側に入った箇所には、取付用の穴７２が設けられている。また、回路基板７０の、第１端部および第２端部の双方から離れた中央部分には、左右方向に延びる側面７３が切り欠かれた形状の切欠き７４を有する。
【００４０】
また、この回路基板７０の、前カバー５１１の内面側を向く第２面（図８に示す面）には、その左右両端部に、電子部品の一種であるマイクロホン７９が搭載されている。それらのマイクロホン７９で音声をピックアップして得た信号は、コネクタ７１、コネクタ８１、およびケーブル８２を介してこの回路基板７０の外部に伝達される。
【００４１】
一方、前カバー内面に設けられた支持部９０は、回路基板７０を、その第２面（図８参照）を前カバー内面側に向け、その回路基板７０を前カバー５１１の内面に沿わせた状態に支持する支持部である。その支持部９０の、左右両端からそれぞれ少しずつ内側に寄った位置には、回路基板７０の穴７２に入り込むボス９１が立設しており、また、左右両端から離れた中央部分には、回路基板７０の切欠き７４に嵌入するリブ９２が形成されている。回路基板７０は、これらのボス９１やリブ９２により、前カバー５１１の内面の支持部９０に「ゆるやかに」支持されている。この「ゆるやかに」の意味するところについては後述する。
【００４２】
また、この支持部９０には、回路基板７０に搭載された２つのマイクロホン７９（図８参照）に対応する位置に受話口５５（図２を合わせて参照）が設けられている。
【００４３】
この回路基板７０の左右方向については、第１リブ９３と第２リブ９４により規制されている。第１リブ９３は、回路基板７０上のコネクタ７１に嵌合した状態のコネクタ８１の、コネクタ７１との嵌合面に対する背面に沿って、前カバー５１１の内面に立設するリブである。また、第２リブ９４は、回路基板７０の、コネクタ７１が搭載された側の第１端部とは逆側の第２端部側において前カバー５１１の内面に立設し、第１リブ９３とともに回路基板の左右方向の位置を規制するリブである。この第２リブ９４は、回路基板７０の、第２端側の端面７０ａ（図６〜図８参照）に沿って立設している。
【００４４】
また、この回路基板７０の幅方向（図２，図３に示す開状態の表示ユニット５０の上下方向）については、回路基板７０の両側面に沿って立ち上がる両壁９５により位置規制されている。
【００４５】
次に、回路基板７０の、前カバー５１１の内面から浮き上がる方向の位置規制について説明する。
【００４６】
図９〜図１１は、支持部に支持された状態の回路基板の、コネクタが搭載された第１端部側を、それぞれ別々の角度から示した各斜視図である。また、図１２，図１３は、前カバー内面の支持部の、回路基板の第１端を支持する部分を別々の角度から示した各斜視図である。
【００４７】
支持部９０には、回路基板７０の第１端部寄りの側面に沿って立設したリブ９６を有し、さらにそのリブ９６から回路基板の第１面（コネクタ７１が搭載された側の面）の上に張り出した張出片９６１を有する。この張出片９６１は、回路基板７０の第１面から離間してその第１面上に張り出している。回路基板７０は、前述したボス９１やリブ９２等により「ゆるやかに」支持されているため、この回路基板７０の、コネクタ７１が搭載された第１端部側を、回路基板７０がその張出片９６１に当接するまで持ち上げることができる。コネクタ８１の背面に沿って立設する第１リブ９３は、回路基板７０の第１端部側を持ち上げたときにコネクタ８１の背面が外れる高さしかない。このため、回路基板７０を支持部９０に支持させたまま、第１端部側を持ち上げて、コネクタ８１を回路基板７０上のコネクタ７１から取り外し、又は、コネクタ８１をコネクタ７１に嵌合させることができる。
【００４８】
図１４は、支持部に支持された状態の回路基板の、コネクタが搭載された第１端部とは反対側の第２端部近傍を示した斜視図である。
【００４９】
ここには、回路基板の側面に沿う向きに延びるリブ９７が立設しており、そのリブ９７から回路基板７０の第１面上に張出片９７１が張り出している。この張出片９７１は、回路基板７０の第１端部側の張出片９６１（図１０等を参照）よりも第１面に近づいた高さに張り出して、回路基板７０の、第２端部寄りの部分の、前カバー５１１からの浮きを規制している。
【００５０】
回路基板７０の第１端部側を上述のように持ち上げると、この回路基板７０は、第２端部側の端面７０ａを回動中心にして回動する。第２端部側の張出片９６１は、この端面７０ａに近く、したがってこの張出片９６１は、回路基板７０から僅かに浮いているだけで、回路基板７０の回動、すなわち第１端部側の持ち上げの妨げとならない。この第２端部側の張出片９７１は、回路基板７０の第１端部側の持ち上げを許容する程度に僅かに回路基板７０から離れた高さ位置に張り出している。尚、第２端部側の張出片９７１を回路基板７０の第１面に接触する高さとし、回路基板７０を僅かに撓ませることにより第１端部側を持ち上げるようにしてもよい。
【００５１】
図１５，図１６は、支持部に支持された回路基板であって、ケーブル８２が接続されたコネクタ８１を取り外した状態の回路基板を別々の角度から示した各斜視図である。
【００５２】
ケーブル８２が接続されたコネクタ８１を回路基板７０上のコネクタ７１から取り外すと、前カバー５１１と後カバー５１２を分離することができる。その場合であっても回路基板７０はボス９１等により前カバー５１１内面の支持部９０に支持された状態にとどまっている。
【００５３】
前述した通り、後カバー５１２の内面には本件における第２リブの一例としてのリブ６４Ａ（図４参照）が立設している。このリブ６４Ａは、後カバー５１２と前カバー５１１とを組み立てたときに回路基板７０上のコネクタ７１を押圧し、回路基板７０を前カバー５１１の内面に押し当てる。これにより、コネクタ８１の背面に沿って立設するリブ９３は、コネクタ８１の背面と重なる高さ位置となり、そのコネクタ８１を含む回路基板７０の左右方向の位置ずれを規制する。
【００５４】
このように、本実施形態によれば、後カバー５１２と前カバー５１１とを組み立てることにより回路基板７０が支持部９０に「しっかりと」支持される。一方、後カバー５１２から前カバー５１１をはずした状態では、回路基板７０の、コネクタ７１が搭載された第１端部側を持ち上げることができる。この第１端部側を持ち上げることにより、回路基板７０を支持部から取り外すことなく、コネクタ８１をコネクタ７１から抜いたり、またコネクタ８１を再びコネクタ７１に差し込んだりすることができる。
【００５５】
図１７は、表示ユニットの後カバーの、表示画面よりも上部に搭載されたカメラ基板を示した図である。
【００５６】
このカメラ基板６０には、カメラ６１や、そのカメラ６１の制御用および信号処理用の回路が搭載されている。このカメラ基板６０と外部との信号の受け渡しは、そのカメラ基板６０に搭載されたコネクタ６２と、そのコネクタ６２に組み合う、ケーブル６５が接続されたコネクタ６４が担っている。ただし、このカメラ基板６０については、後カバー５１２と前カバー５１１の分離とは無関係である。このため、本実施形態では、上述したマイクロホン７９を搭載した回路基板７０のような、回路基板の固定とコネクタの挿抜の容易さとを両立させる構造は採用されていない。このカメラ基板６０上のカメラ６１と、前述した回路基板７０上のマイクロホン７９とにより、音声付きの動画通信、例えばテレビ電話等の動画通信のための信号（画像信号と音声信号）が生成される。
【符号の説明】
【００５７】
１０    ノートＰＣ
２０    本体ユニット
２１，５１    筐体
２４    キーボード
２５    スピーカ放音口
２６    グライドボタン
２７，２９    押ボタン
２８    タッチパッド
３０    スクロールボタン
５０    表示ユニット
５２    画像表示モジュール
５３    フック
５４    撮影窓
５５    受話口
６０    カメラ基板
６１    カメラ
６２，６４，７１，８１    コネクタ
６３    ケーブル
６４，６４Ａ，９２，９６，９７    リブ
７０    回路基板
７０ａ    端面
７２    取付用の穴
７３    側面
７４    切欠き
７９    マイクロホン
８２    ケーブル
９０    支持部
９１    ボス
９３    第１リブ
９４    第２リブ
９５    両壁
２１１    上カバー
２１２    底カバー
５１１    前カバー
５１２    後カバー
５２１    表示画面
９６１，９７１    張出片
【図１】
2011070665.tif 000003
【図２】
2011070665.tif 000004
【図３】
2011070665.tif 000005
【図４】
2011070665.tif 000006
【図５】
2011070665.tif 000007
【図６】
2011070665.tif 000008
【図７】
2011070665.tif 000009
【図８】
2011070665.tif 000010
【図９】
2011070665.tif 000011
【図１０】
2011070665.tif 000012
【図１１】
2011070665.tif 000013
【図１２】
2011070665.tif 000014
【図１３】
2011070665.tif 000015
【図１４】
2011070665.tif 000016
【図１５】
2011070665.tif 000017
【図１６】
2011070665.tif 000018
【図１７】
2011070665.tif 000019
【国際調査報告】
2011070665.tif 000020
2011070665.tif 000021